(57)【要約】【課題】カタログを収納するボックスであり、尚且つ、カタログが不要となった後も小物入れとして全く新しい用途で使用することができる新規なギフトカタログボックスを提供することを目的とする。【解決手段】上面および一側壁が開口し、少なくとも対向する側壁内面に透明板ガイド溝２を備えた箱本体１と、上記箱本体１の内部空間を４つに仕切る十字の仕切り板５と、上記箱本体の一側壁を閉鎖する側面板６と、着脱可能な透明板保持材９を一端に備え、上記透明板ガイド溝２に沿って上記箱本体１の上面を閉鎖する透明板８とを備えてなるギフトカタログボックスにおいて、受け取り手が当該ギフトカタログボックスを受け取った後に、箱本体１の内部空間を十字の仕切り板５にて４つに仕切り、開口した一側壁を側面板６にて閉鎖した後、箱本体１の上面を透明板８にて閉鎖することで小物収納ボックスとして使用することができるようにした。【選択図】    図１０
0003123280.tif 000002
【実用新案登録請求の範囲】
【請求項１】
冠婚葬祭やその他様々な祝事において贈り主から受け取り手に贈られるカタログを収納したギフトカタログボックスであって、
上面および一側壁が開口し、少なくとも対向する側壁内面に透明板ガイド溝を備えた箱本体と、
上記箱本体内を４つに仕切る仕切り板と、
上記箱本体の一側壁を閉鎖する側面板と、
着脱可能な透明板保持材を一端に備え、上記透明板ガイド溝に沿って上記箱本体の上面を閉鎖する透明板とからなり、
受け取り手が上記ギフトカタログボックスを受け取った後に、上記箱本体に上記仕切り板と、上記側面板と、上記透明板を取り付けることで小物収納ボックスとして使用することができるようにしたことを特徴とするギフトカタログボックス。
【請求項２】
上記透明板が、２枚組みとなっており、２枚の透明板の間に写真等を挟みこむことで写真立てとして使用することもできるようにしたことを特徴とする請求項１に記載のギフトカタログボックス。
【考案の詳細な説明】
【技術分野】
【０００１】
本考案は、冠婚葬祭や祝事において用いられるギフトカタログに関し、ギフトカタログを贈る際に収納するギフトカタログボックスに係る。
【背景技術】
【０００２】
従来、冠婚葬祭や祝事などに際しては、主催者側から出席者に御礼の品を贈る事が一般的である。そして最近では、贈り主が多数の物品を掲載したカタログを贈り、受け取り手がその物品群の中から希望の物品を選択し、受け取るといったシステムが普及している。特に、上記システムで贈られるカタログは冠婚葬祭や祝事に関するものであることから、カタログをそのまま贈るよりは、カタログを冠婚葬祭や祝事に適したケースやボックスに収納して贈るのが無難である。
【０００３】
これに関して、アルバムを収納するケースやボックスに関して、「アルバムとその収納ボックス」（特開２００５−１７８３４３号公報、特許文献１参照）といった発明がある。
【特許文献１】実用新案登録第３１０１６１５号
【考案の開示】
【考案が解決しようとする課題】
【０００４】
しかし、先に紹介した特許文献１では、収納ボックスはアルバムまたはその他関連物品を収納することのみを目的としているものである。もちろん、他の物品を収納することも可能ではあるが、目的と異なる使い方により非常に不便であろうことは容易に想像できる。
例えば、受け取り手がアルバムを仕舞う際に前記収納ボックスを使わないのであれば、収納ボックスはアルバムを収納することのみを目的としているため、他に適した用途もなく収納ボックスが不要となってしまうことがあった。
【０００５】
そこで、本考案は、カタログを収納するボックスであり、尚且つ、カタログが不要となった後も小物入れとして全く新しい用途で使用することができる新規なギフトカタログボックスを提供することを目的とする。
【課題を解決するための手段】
【０００６】
本考案は、上記目的を達成するため、冠婚葬祭やその他様々な祝事において贈り主から受け取り手に贈られるカタログを収納したギフトカタログボックスであって、
上面および一側壁が開口し、少なくとも対向する側壁内面に透明板ガイド溝を備えた箱本体と、
上記箱本体内を４つに仕切る仕切り板と、
上記箱本体の一側壁を閉鎖する側面板と、
着脱可能な透明板保持材を一端に備え、上記透明板ガイド溝に沿って上記箱本体の上面を閉鎖する透明板とからなり、
受け取り手が上記ギフトカタログボックスを受け取った後に、上記箱本体に上記仕切り板と、上記側面板と、上記透明板を取り付けることで小物収納ボックスとして使用することができるようにしたことを特徴としている（請求項１）。
【０００７】
また、上記透明板が、２枚組みとなっており、２枚の透明板の間に写真等を挟みこむことで写真立てとして使用することもできるようにしたことを特徴としている（請求項２）。
【考案の効果】
【０００８】
本考案に係るギフトカタログボックスは、カタログを収納するボックスであり、尚且つ、カタログが不要となった後も小物収納ボックスとして全く新しい用途で使用することができる。
【０００９】
また、上記ギフトカタログボックスの２枚の透明板に記念の写真等を挟みこむことで写真立てとして思い出を末永く飾ることができる。
【考案を実施するための最良の形態】
【００１０】
以下、図面に基づいて本考案に係るギフトカタログボックスの実施の形態について詳細に説明する。
図１は、本考案に係るギフトカタログボックスの箱本体の斜視図である。図２は、本考案に係るギフトカタログボックスの仕切り板の斜視図である。図３は、本考案に係るギフトカタログボックスの側面板の斜視図である。図４は、本考案に係るギフトカタログボックスの透明板の斜視図である。図５〜図１０は、それぞれ本考案に係るギフトカタログボックスの使用例を示した斜視図である。
【００１１】
図１は、本考案に係るギフトカタログボックスの箱本体の斜視図である。図示した箱本体１は、上面および一側壁が開口し、その他の側壁内面に透明板ガイド溝２を備えている。
【００１２】
図２は、本考案に係るギフトカタログボックスの仕切り板の斜視図である。図示した仕切り板３は、図１に示した箱本体１の内部空間の寸法に合わせた２枚の板からなり、それぞれの板が板中央部に溝４を備え、２枚の仕切り板が十字に交差するように互いの溝を噛み合わせて十字の仕切り板５を形成する。この十字の仕切り板５を箱本体１の内部空間に取り付けることで、箱本体１の内部空間を４つの小さな空間に仕切ることができる。
【００１３】
図３は、本考案に係るギフトカタログボックスの側面板の斜視図である。図示した側面板６は、図１に示した箱本体１の開口している一側壁を閉鎖するために用いられる。また、側面板６は、側面板６の長さ方向の一端部に半円状の凹部７を設ける。このような構造にすることで、側面板６が箱本体１に嵌め込まれた際、凹部７に指を引っ掛けることで側面板６を容易に取り外すことができる。
【００１４】
図４は、本考案に係るギフトカタログボックスの透明板の斜視図である。図示した透明板８は、２枚の透明な板からなり、２枚を重ねた状態で着脱可能な透明板保持材９によって一端を固定する。図１に示した箱本体１に取り付ける際は、箱本体１の有する対向する一対の透明板ガイド溝２に沿って箱本体１に差込挿入し、箱本体１の上面を閉鎖する。また、透明板８の２枚の板の間に、例えば思い出や記念の写真等といったものを挟みこむことで写真立て等として使用することもできる。
【００１５】
図５〜図１０は、本考案に係るギフトカタログボックスの使用例を示した斜視図である。
【００１６】
図５は、本考案に係るギフトカタログボックスが受け取り手に届けられる際の状態を示した斜視図である。カタログ１０が受け取り手に届けられる際には、当該ギフトカタログボックスは、箱本体１にカタログ１０を収納し、側面板６及び透明板８を取り付けた状態となっている。このとき、図２に示した仕切り板３は、箱本体１の側壁外面に貼付等して一緒に届けられる。
【００１７】
図６は、図５に示した箱本体にカタログを収納した状態の斜視図である。受け取り手は、届けられた当該ギフトカタログボックスの箱本体１から、図５に示した透明板６および側面板８を取り外すことで、箱本体１に収納されたカタログ１０を取り出すことができる。
【００１８】
図７は、図５に示した箱本体からカタログを取り出した状態の斜視図である。受け取り手が、箱本体１に収納されたカタログ１０を取り出し、カタログ１０から所望のギフトを選択することによって、当該ギフトカタログボックスのカタログ収納ボックスとしての初期の目的は達成される。
【００１９】
図８は、図５に示した箱本体に仕切り板を取り付けた状態の斜視図である。十字の仕切り板５を、箱本体１の内部空間に取り付けることで、箱本体１の内部空間を４つの小さい空間に仕切ることができる。
もちろん、使用用途によっては箱本体１の内部空間を十字の仕切り板５によって仕切らずに、収納ボックスとして使用することも可能である。
【００２０】
図９は、図５に示した箱本体に側面板を取り付けた状態の斜視図である。箱本体１の内部空間を十字の仕切り板５にて４つに仕切った後、箱本体１の開口した一側壁を側面板６により閉鎖する。このとき、箱本体１の開口した一側壁にちょうど嵌るように側面板６の寸法を調整することや、あるいは箱本体１の開口した一側壁部及び側面板６の端部に磁石等を設けること等によって、容易に外れないようにすることができる。
【００２１】
図１０は、図５に示した箱本体に透明板を取り付けた状態の斜視図である。箱本体１の内部空間を十字の仕切り板５にて４つに仕切り、開口した一側壁を側面板６にて閉鎖した後、箱本体１の上面を透明板８にて閉鎖する。この際、箱本体１の側壁内面に設けた透明板ガイド溝２に沿って透明板８を差込挿入することで、箱本体１の上面を閉鎖する。
また、透明板８の２枚の板の間に写真等を挟み込むことで、箱本体１の上面を任意に飾りつけることができ、写真立てとして使用することも可能である。
【産業上の利用可能性】
【００２２】
本考案は、冠婚葬祭や祝事等の際に受け取り手に贈られるカタログを収納するボックスであり、カタログが届けられた後は小物収納ボックスとして利用することが可能なギフトカタログボックスであるが、この考案の要旨を変更しない限り、他の用途に使用できることは言うまでもない。
【図面の簡単な説明】
【００２３】
【図１】本考案に係るギフトカタログボックスの箱本体の斜視図である。
【図２】本考案に係るギフトカタログボックスの仕切り板の斜視図である。
【図３】本考案に係るギフトカタログボックスの側面板の斜視図である。
【図４】本考案に係るギフトカタログボックスの透明板の斜視図である。
【図５】本考案に係るギフトカタログボックスが受け取り手に届けられる際の状態を示した斜視図である。
【図６】図５に示した箱本体にカタログを収納した状態の斜視図である。
【図７】図５に示した箱本体からカタログを取り出した状態の斜視図である。
【図８】図５に示した箱本体に仕切り板を取り付けた状態の斜視図である。
【図９】図５に示した箱本体に側面板を取り付けた状態の斜視図である。
【図１０】図５に示した箱本体に透明板を取り付けた状態の斜視図である。
【符号の説明】
【００２４】
１  箱本体
２  透明板ガイド溝
３  仕切り板
４  溝
５  十字の仕切り板
６  側面板
７  凹部
８  透明板
９  透明板保持材
１０  カタログ
【図１】
0003123280.tif 000003
【図２】
0003123280.tif 000004
【図３】
0003123280.tif 000005
【図４】
0003123280.tif 000006
【図５】
0003123280.tif 000007
【図６】
0003123280.tif 000008
【図７】
0003123280.tif 000009
【図８】
0003123280.tif 000010
【図９】
0003123280.tif 000011
【図１０】
0003123280.tif 000012